(57)【要約】本発明は、ウェブＤＶＤ技術を用いて、インターネット上のコンテンツを複数のユーザ間で共有する方法を提供する。本発明の１つの実施例では、インターネット上のコンテンツを共有する方法が提供される。この方法では、ユーザは、ウェブＤＶＤプレイヤ／レコーダを介して、ウェブサーバにアクセスし、他のユーザとコンテンツを共有するために、プレイヤ／レコーダを介して、ウェブサーバにコンテンツをアップロードする。ユーザは、プレイヤ／レコーダを介して、ユーザ自身によってウェブサーバにアップロードされたコンテンツを見、また、プレイヤ／レコーダを介して、アップロードされたコンテンツを選択的に記録する。ユーザは更に、ウェブＤＶＤプレイヤ／レコーダを介して、アップロードされたコンテンツを選択的に編集し、他のユーザと共有するために、プレイヤ／レコーダを介して、ウェブサーバに更新したコンテンツを提出する。或いは、ユーザは、自分のウェブＤＶＤプレイヤ／レコーダを、ウェブサーバとして用い、また、他のユーザが、共有コンテンツを見る、変更する、又は更新するためにそのユーザのプレイヤ／レコーダをアクセスすることを可能にし得る。
2006511999.tif 000002
【特許請求の範囲】
【請求項１】
インターネット上のコンテンツを共有する方法であって、
ウェブＤＶＤプレイヤ／レコーダを介して、ウェブサーバにアクセスする段階と、
他のユーザと前記コンテンツを共有するために、前記プレイヤ／レコーダを介して、前記ウェブサーバに前記コンテンツをアップロードする段階と、
前記プレイヤ／レコーダを介して、前記ウェブサーバにアップロードされた前記コンテンツを見る段階と、
前記プレイヤ／レコーダを介して、前記アップロードされたコンテンツを選択的に記録する段階と、
を有する方法。
【請求項２】
ウェブＤＶＤプレイヤ／レコーダを介して、前記アップロードされたコンテンツを選択的に編集する段階と、
他のユーザと共有するために、前記プレイヤ／レコーダを介して、前記ウェブサーバに前記更新したコンテンツを提出する段階と、
を更に有する請求項１記載の方法。
【請求項３】
前記見る段階は、複数のユーザによって前記アップロードされたコンテンツを見る段階を有する請求項１記載の方法。
【請求項４】
前記アップロードされたコンテンツは、ウェブＤＶＤ規格に準拠する請求項１記載の方法。
【請求項５】
前記ウェブサーバは、ウェブＤＶＤディスク上のＵＲＬを用いてアクセスされる請求項１記載の方法。
【請求項６】
前記ウェブサーバは、ユーザによるＵＲＬ入力を用いてアクセスされる請求項１記載の方法。
【請求項７】
前記アップロードする段階の前に、前記コンテンツをオーサリングする段階と、
前記オーサリングする段階の後に、前記コンテンツを前記プレイヤ内に記録する段階と、
を更に有する請求項１記載の方法。
【請求項８】
前記記録する段階は、前記コンテンツを記録可能なウェブＤＶＤディスク内に記録する請求項７記載の方法。
【請求項９】
前記記録する段階は、前記コンテンツを、前記ウェブＤＶＤプレイヤ／レコーダにおいてウェブＤＶＤ論理形式を用いてハードディスク内に記録する請求項７記載の方法。
【請求項１０】
インターネット上のコンテンツを共有する方法であって、
ウェブＤＶＤプレイヤ／レコーダを介して、コンテンツをオーサリングする段階と、
前記コンテンツを共有するために、前記プレイヤ／レコーダを介して、前記コンテンツを記録する段階と、
他のユーザが、前記共有コンテンツを、見る及び更新するために前記プレイヤ／レコーダにアクセスすることを可能にする段階と、
を有する方法。
【請求項１１】
他のユーザと編集されたコンテンツを共有するために、前記プレイヤ／レコーダを介して、前記コンテンツを選択的に編集する段階を更に有する請求項１０記載の方法。
【請求項１２】
前記コンテンツは、ウェブＤＶＤ規格に準拠するようオーサリングされる請求項１０記載の方法。
【請求項１３】
前記コンテンツは、記録可能なウェブＤＶＤディスク内に記録される請求項１０記載の方法。
【請求項１４】
前記コンテンツは、前記プレイヤ／レコーダにおいてウェブＤＶＤ論理形式を用いてハードディスク内に記録される請求項１０記載の方法。
【請求項１５】
インターネット上のコンテンツを共有する方法であって、
ウェブＤＶＤプレイヤ／レコーダを介して、コンテンツをオーサリングする段階と、
前記プレイヤ／レコーダを介して、前記コンテンツを記録する段階と、
他のユーザと前記コンテンツを共有するために、前記プレイヤ／レコーダを介して、ウェブサーバに前記コンテンツをアップロードする段階と、
を有し、
前記コンテンツは、前記ウェブサーバに対するウェブＤＶＤ規格に準拠する方法。
【請求項１６】
前記プレイヤ／レコーダを介して、前記ウェブサーバにアップロードされた前記コンテンツを見る段階と、
前記プレイヤ／レコーダを介して、記録可能なディスク上に前記アップロードされたコンテンツを選択的に記録する段階と、
を更に有する請求項１５記載の方法。
【請求項１７】
前記プレイヤ／レコーダを介して、前記アップロードされたコンテンツを選択的に編集する段階と、
他のユーザと共有するために、前記プレイヤ／レコーダを介して、前記ウェブサーバに前記更新したコンテンツを提出する段階と、
を更に有する請求項１６記載の方法。
【請求項１８】
前記見る段階は、複数のユーザによって前記アップロードされたコンテンツを見る段階を有する請求項１７記載の方法。
【請求項１９】
前記コンテンツは、記録可能なウェブＤＶＤディスク内に記録される請求項１５記載の方法。
【請求項２０】
前記コンテンツは、前記ウェブＤＶＤプレイヤ／レコーダにおいてウェブＤＶＤ論理形式を用いてハードディスク内に記録される請求項１５記載の方法。
【発明の詳細な説明】
【技術分野】
【０００１】
本発明は、一般的に、コンテンツを共有する方法に係わり、特に、ウェブＤＶＤ技術を用いて複数のユーザ間でコンテンツを共有する方法に係る。
【背景技術】
【０００２】
インターネットＤＶＤ、オンラインＤＶＤ、エンハンスドナビゲーション（ＥＮａｖ）ＤＶＤ等としても知られるウェブＤＶＤは、インターネット技術を用いてＤＶＤビデオを一層充実させる強力な概念である。産業協会であるＤＶＤフォーラム（http://www.dvdforum.org）は、ウェブＤＶＤビデオディスクにリンクされるウェブコンテンツの規格を定義している。ウェブサイトへのリンクを有するＤＶＤディスクが、ウェブＤＶＤプレイヤ内に挿入されると、ユーザは、ローカルＤＶＤビデオを、この特定のＤＶＤディスクに関連するインターネットエンハンスドコンテンツと組み合わせることによって、新しい経験を得ることができる。インターネットエンハンスドコンテンツは、ＤＶＤメニュの新しいバージョン、画像、オーディオ、又はローカルＤＶＤビデオと同期されるサブタイトルを有し得る。
【０００３】
ウェブＤＶＤプレイの主な目的は、インターネットエンハンスドコンテンツをスタジオからの映画タイトルと組み合わせることであるので、ウェブＤＶＤディスクは、通常、ＲＯＭ形式で発行される。ユーザは、他のユーザと自分のコンテンツを共有することができることなく、インターネットエンハンスドコンテンツを見ることしかできない。自分のコンテンツを他のユーザと共有するためには、従来では、ユーザは、専門的なオーサリングツールを使用してオーサリングを行い、ユーザのコンテンツをウェブサイトに載せ、他のユーザがそのウェブサイトにアクセスしコンテンツを見て且つダウンロードすることを可能にしなければならない。これは、一般的に、ＰＣ環境において行われる。しかし、ＰＣ環境では、これは、ユーザのコンピュータスキルだけでなく、インターネットに関する深い知識も必要とする。一部の場合では、プログラミングスキルも必要とされる。これらは全て、平均的なユーザにとって、上述のことを行うのにはあまりにも複雑としてしまう。
【発明の開示】
【発明が解決しようとする課題】
【０００４】
従って、ウェブＤＶＤ技術を十分に活用するインターネット上で複数のユーザ間でコンテンツを共有する新規の且つ簡単なアプローチが必要である。
【課題を解決するための手段】
【０００５】
本発明の１つの実施例では、インターネット上のコンテンツを共有する方法が提供される。この方法は、ウェブＤＶＤプレイヤ／レコーダを介して、ウェブサーバにアクセスする段階と、他のユーザとコンテンツを共有するために、プレイヤ／レコーダを介して、ウェブサーバにコンテンツをアップロードする段階と、プレイヤ／レコーダを介して、ウェブサーバにアップロードされたコンテンツを見る段階と、プレイヤ／レコーダを介して、アップロードされたコンテンツを選択的に記録する段階とを有する。
【０００６】
本発明の別の実施例では、方法は更に、ウェブＤＶＤプレイヤ／レコーダを介して、アップロードされたコンテンツを選択的に編集する段階と、他のユーザと共有するために、プレイヤ／レコーダを介して、ウェブサーバに更新したコンテンツを提出する段階とを有する。
【０００７】
このようにして、ユーザは、他のユーザと共有するためにウェブサーバ上に自分のコンテンツを載せることが可能であり、また、サーバ上のコンテンツを更新して、その更新したコンテンツを他のユーザと共有することが可能である。或いは、ユーザは、自分のウェブＤＶＤプレイヤ／レコーダを、ウェブサーバとして用い、また、他のユーザが、共有コンテンツを見る、変更する、又は更新するためにそのユーザのプレイヤ／レコーダをアクセスすることを可能にし得る。
【０００８】
他の目的及び達成は、本発明の完全な理解と共に、以下の説明及び請求項を添付図面と共に参照することによって明らか及び理解できるであろう。
【発明を実施するための最良の形態】
【０００９】
本発明は、添付図面を参照しながら、更に詳細に、また、例示的に説明する。
【００１０】
全図面において、同じ参照番号は、同様の又は対応する特徴又は機能を示す。
【００１１】
本発明は、ユーザが、ウェブＤＶＤ規格に準拠する様々なコンテンツ（例えば、写真、ビデオ、オーディオ、及びアニメーション）を、他のユーザと共有するためにウェブサイト上に載せることを可能にする。例えば、任意のユーザは、ウェブＤＶＤプレイヤを用いて、これらの共有コンテンツを見て、また、これらの共有コンテンツを、後からオフラインで見るためにＤＶＤ  ＲＷディスク上に記録し得る。ユーザは更に、ダウンロードしたコンテンツを編集し、編集したバージョンを、他のユーザとの共有のためにウェブサイトに提出することが可能である。共有コンテンツを有するウェブサイトへのアクセスは、パスワード保護を介して、例えば、家族や友人といったように選択されたユーザ数に制限され得る。
【００１２】
図１は、本発明の１つの実施例による複数のユーザ間でコンテンツを共有する方法を実施する全体像を示す。図１では、クライアント１、クライアント２、…、及び、クライアントＮを有する複数のクライアントは、インターネットに接続され、また、クライアント間でコンテンツを共有するためにウェブサーバ１０にアクセスする。クライアント１及び２は、それぞれ、コンピュータ及びウェブＤＶＤプレイヤ（「エンハンスドベースラインビデオプレイヤ」とも称する）であり得、一方、クライアントＮは、ウェブＤＶＤプレイヤ／レコーダ（「エンハンスドビデオプレイヤ／レコーダ」とも称する）であり得る。エンハンスドベースラインビデオプレイヤは、ウェブＤＶＤ規格に定められている必須機能しかサポートしないが、エンハンスドビデオプレイヤ／レコーダは、記録機能に加えてウェブＤＶＤ規格に定められている必須及び任意選択的な機能の両方をサポートする。
【００１３】
クライアント１は、他のクライアントとコンテンツを共有するために、マルチメディアコンテンツ（例えば、写真、ビデオ等）と、ウェブＤＶＤ規格に準拠するナビゲーションメニュをウェブサーバ１０にアップロードし得る。例えば、米国カリフォルニア州のソニックソリューション（Sonic  Solution）からのｅＤＶＤ及びＤＶＤｉｔ、及び、同じく米国カリフォルニア州のアップルコンピュータズ（Apple  Computers）からのＤＶＤスタジオプロといったような適切なウェブＤＶＤオーサリングツールが、これらのコンテンツ及びナビゲーションメニュを作成するために適応され得る。
【００１４】
ウェブＤＶＤプレイヤであるクライアント２は、例えば、クライアント１といった別のクライアントによってウェブサーバ１０にアップロードされた共有コンテンツにアクセスするために関連のウェブサイトにリンク付けされ得る。そのウェブサイトのＵＲＬは、ウェブＤＶＤディスク又はユーザの入力によって入手し得る。クライアント２は、ユーザが、ウェブＤＶＤ  ＲＯＭ形式によって与えられる標準機能であるウェブサーバ１０上で利用可能なエンハンスドナビゲーションメニュとインタラクトすることによって共有コンテンツを見ることを可能にする。
【００１５】
ウェブＤＶＤプレイヤ／レコーダであるクライアントＮは、ウェブＤＶＤプレイヤから利用可能な標準機能だけでなく、ユーザが、サーバ上のコンテンツを編集及び更新することを可能にする単純な「オーサリング」機能も提供する。装置の付加的な機能を使用するために、ユーザは、デジタルカメラ（ビデオ又は静止）又は他の装置を、ウェブＤＶＤプレイヤ／レコーダに接続し、プレイヤ／レコーダ上のオーサリング機能を用いてナビゲーションメニュを設計し得る。オーサリング後、ユーザは、コンテンツを、ＤＶＤ＋Ｒ若しくはＤＶＤ＋ＲＷディスク、又は、プレイヤ／レコーダ内のハードディスクに保存し、他のユーザとコンテンツを共有するためにウェブサーバ１０にそのコンテンツをアップロードし得る。ユーザは、例えば、サーバ上のコンテンツを変更する又はナビゲーションメニュにコンテンツを追加する等によって、新しいバージョンのコンテンツをウェブサーバに提出し得る。更新されたコンテンツは、再び、複数のユーザ間で共有され、また、分配のためにこのウェブサイト用のＵＲＬと共に光ディスク上に記録され得る。或いは、ユーザは、単純に、自分のウェブＤＶＤプレイヤ／レコーダを、ウェブサーバとして使用し、そして、他のユーザが、共有コンテンツを見る、変更する、又は更新するためにプレイヤ／レコーダにアクセスすることを可能にしてもよい。
【００１６】
図１では、複数のクライアントは、ユーザが、同じコンテンツをオンラインで見ながら互いにチャットすることを可能にするよう、例えば、遠隔イベント又はコマンドに応答して同期されることが可能である。これは、チャットは、重要なウェブＤＶＤ機能だからである。
【００１７】
図２は、本発明の１つの実施例による、クライアントＮ、即ち、ウェブＤＶＤプレイヤ／レコーダの動作を説明するフローチャートである。記録可能な光ディスク（例えば、ＤＶＤ＋Ｒ又はＤＶＤ＋ＲＷディスク）を挿入（段階１０２）後、プレイヤ／レコーダは、関連のウェブサイトにリンクするためのＵＲＬが、ディスク上にあるか否かを確認する（段階１０６）。ＵＲＬがない場合は、プレイヤ／レコーダは、ＵＲＬを得るためにユーザの入力を待つ（段階１１２）。ＵＲＬを得た後、プレイヤ／レコーダは、ディスクを関連のウェブサイトにリンクし（段階１１６）、自動的にコンテンツナビゲーション（段階１１８）を開始するようそのウェブサイトからエンハンスドナビゲーションＤＶＤメニュをダウンロードする。ユーザは、ウェブサーバ上に既に掲載されている任意の共有コンテンツを見て、それを選択的に記録し得る（段階１２２）。エンハンスドナビゲーションメニュ及び他のコンテンツは、ディスク、又は、プレイヤ／レコーダ内のハードディスク上に記録され得る。ユーザは、次に、プレイヤ／レコーダ上のウェブＤＶＤオーサリングツールを用いて、記録されたコンテンツを編集し（段階１３６）、そして、その更新されたコンテンツを、各クライアントを介して他のユーザと共有するためにウェブサーバに提出することが可能である（段階１４２）。
【００１８】
上記において、記録後のより良好なオフライン再生のために、メディアオブジェクトの絶対ＵＲＬが、対応する相対ＵＲＬに対して変更されるべきであり、それにより、メディアオブジェクトが、ローカルで参照可能にすることが好適である。
【００１９】
本発明は、特定の実施例と共に説明したが、多くの代案、修正、及び変形が、当業者には、上述の説明を考慮して、明らかであろうことは明確である。従って、このような代案、修正、及び変形は、請求項の精神及び範囲に包含されることを意味する。
【図面の簡単な説明】
【００２０】
【図１】本発明の１つの実施例による複数のユーザ間でコンテンツを共有する方法の実施の全体像である。
【図２】本発明の１つの実施例によるウェブＤＶＤプレイヤ／レコーダの動作を説明するフローチャートである。
【図１】
2006511999.tif 000003
【図２】
2006511999.tif 000004
【国際調査報告】
2006511999.tif 000005
2006511999.tif 000006
2006511999.tif 000007